(57)【要約】【課題】本発明は、メッキなどの金属皮膜や飾りなどの電気的な導通性質のある部分を有する操作部構造において、スイッチ操作部からの静電気による機器誤動作や破壊防止構造構造を提供することを目的としてなされたものである。【解決手段】メッキなどの金属皮膜や飾りなど電気的な導通性質のある部分を有する操作用部品に操作面と電気的導通性を保った１個もしくは複数個のピンもしくはリブなどの突起を設け、さらに回路を形成するプリント配線基板に貫通孔を設け、貫通孔の内面を箔などの電気的導通のある状態とし、さらに電気的導通部分を誤動作や破壊の生じない安全な回路に接続させ、貫通孔に操作部品に設けた１個もしくは複数個のピンもしくはリブなどの突起を、スイッチ動作時に当たり込んでスイッチが動作しなくなることが無い最小隙間で、且つ操作ノブの他の電気的導通部分と回路との距離より短くなるように係合させたものである。【選択図】　図１
2004139919.tif 000002
【特許請求の範囲】
【請求項１】
メッキなどの金属皮膜や飾りなど電気的な導通性質のある部分を有する操作用部品において、回路を形成するプリント基板に貫通孔を設け、前記貫通孔の内面を箔などの電気的導通のある状態とし、さらに前記電気的導通部分を誤動作や破壊の生じない安全な回路に接続させ、前記貫通孔に前記操作部品に設けかつ操作面と電気的導通性を保った１個もしくは複数個のピンもしくはリブなどの突起を係合させたことを特徴とする、静電破壊防止構造。
【請求項２】
操作部品に設けられた１個もしくは複数個のピンもしくはリブを非対称配置とすることにより、操作部品の組付け方向性を１方向に限定したことを特徴とする請求項１記載の、静電破壊防止構造。
【発明の詳細な説明】
【０００１】
【発明の属する技術分野】
本発明は、帯電した使用者の体や衣服等から、スイッチ操作部を経由して電子機器に飛び込む静電気による、機器の誤動作や破壊を防止する構造に関するものである。
【０００２】
【従来の技術】
従来、プリント基板上で静電気による破壊や誤動作を防止する制御スイッチがある（例えば特許文献１参照。）。しかし、従来の制御スイッチの大半は、静電気による破壊や誤動作を防止する構造になっていない。このような従来の制御スイッチ等の一例を図６及び図７に示す。図６は操作部とその周辺部品との構成を示すものであり、図７は操作部を操作し、スイッチを反応させたときの操作部及びその周辺部品との関係を示すものである。図６及び図７において、２１は操作ノブ、２２は操作ノブ２１の操作面、２３は操作ノブ２１のスイッチ嵌合部、２４はスイッチ、２５はスイッチ本体、２６はスイッチ２４が実装されるプリント配線基板、２７は底面筐体、２８は本体筐体、２９は本体２８を覆うカバーである。
【０００３】
【特許文献１】
特開平５−２５０９５３号公報
【０００４】
【発明が解決しようとする課題】
このようなスイッチ操作部においては、機器の使用者が帯電していた際に、操作部を触ることにより静電気が使用者の体から操作部を経由して機器内部の回路に飛び込んでも、機器が誤動作や破損しない性能が要求されている。
【０００５】
本発明は、メッキなどの金属皮膜や飾りなどの電気的な導通性質のある部分を有する操作部構造において、スイッチ操作部からの静電気による機器誤動作や破壊の防止構造を提供することを目的としてなされたものである。
【０００６】
【課題を解決するための手段】
この課題を解決するために本発明のスイッチ操作部は、回路を形成するプリント配線基板に貫通孔を設け、貫通孔の内面を箔などの電気的導通のある状態とし、貫通孔に操作部品に設け、かつ操作面と電気的導通性を保った１個もしくは複数個の、ピンもしくはリブなどの突起を係合させる構成としたものである。
【０００７】
これにより、使用者に帯電していた静電気が操作ノブ表面の電気的な導電性質のある部分を経由しプリント配線基板に設けられた貫通孔の内面の箔などの電気的な導通性質のある部分に逃げることとなる。この静電気を逃がす該回路を機器誤動作や破壊しない安全な回路に接続しておくことにより、回路の誤動作や破壊を保護する効果が得られる。また、操作部品に設けられた１個もしくは複数個の、ピンもしくはリブを非対称配置としたことにより、操作部品の組立て方向性を１方向に限定し、組付け間違いを無くす効果も得られる。
【０００８】
【発明の実施の形態】
本発明の請求項１に記載の発明は、メッキなどの金属皮膜や飾りなど電気的な導通性質のある部分を有する操作用部品において、回路を形成する基板に貫通孔を設け、貫通孔の内面を箔などの電気的導通のある状態とし、貫通孔に操作部品に設け、かつ操作面と電気的導通性を保った１個もしくは複数個の、ピンもしくはリブなどの突起を係合させたことを特徴としたものであり、使用者の帯電していた静電気が操作ノブ表面の導電部分を経由し、プリント配線基板に設けられた貫通孔の内面の箔などの電気的導通部分に逃げていくことにより、回路の誤動作や破壊を保護するという作用を有する。
【０００９】
請求項２に記載の発明は、操作部品に設けられた１個もしくは複数個のピンもしくはリブを非対称配置とすることにより、操作部品の組立て方向性を１方向に限定したことを特徴としたものであり、操作部品の組立て方向性を１方向に限定することによって組立て間違いを無くすという作用を有する。
【００１０】
以下本発明の実施の形態について、図１から図３を用いて説明する。
【００１１】
（実施の形態１）
図１は本発明の１実施例の形態におけるスイッチ操作部の構成を示し、図２は本発明の１実施例におけるスイッチ操作部の操作状態を示している。図３は、図２とは９０°違う方向へスイッチが操作された場合の、スイッチ操作部の操作状態を示している。図１から図３において、１は操作ノブ、２は操作ノブ１の操作面、３は操作ノブ１のスイッチ嵌合部、４は操作ノブ１に設けられたアースピンでありスイッチ嵌合部３の形状に対し非対称配置としている。操作ノブ１全体はメッキなどの電気的導通性質のある皮膜で覆われている。５はスイッチ、６はスイッチ本体、７はスイッチ５が実装されるプリント配線基板、８は前記プリント配線基板７に設けられた貫通孔、９は貫通孔８の内面でありメッキなどの電気的導通性質のある材料で構成されており、この電気的導通性質のある貫通孔内面９は、静電気などの高圧電流が流れても誤動作や破壊等の生じない安全な回路（図示されていない）に接続されている。また、前記操作ノブ１に設けられたアースピン４は貫通孔の内面９に対し、動作時に当たり込んでスイッチ５が動作しなくなることが無い最小隙間で、かつ操作ノブの他の電気的導通部分と回路との距離より短くなるように係合している。ここで、電気的導通性質のある貫通孔内面９は、金属筒などの別部品であっても構わない。１０は底面筐体、１１は本体筐体、１２は本体１１を覆うカバー筐体である。
【００１２】
以上のように構成されたスイッチ操作部について、以下その動作について説明する。まず、使用者が操作ノブ１の操作面２に触れて、スイッチ５を希望の方向に操作すべく押圧を掛ける。この押圧により操作部は図２ないしは図３に示すように傾斜し、操作ノブ１のスイッチ嵌合部３によりスイッチ５が操作されることとなる。この際、前記操作ノブ１のアースピン４は貫通孔の内面９に対し、動作時に当たり込んでスイッチ５が動作しなくなることが無い最小隙間で、かつ操作ノブの他の電気的導通部分と回路との距離より短くなるように係合しているため、使用者に帯電していた静電気は、常に操作ノブ１の表面の電気的導通性能のある部分を経由しもっとも近い貫通孔８の内面９に飛び込むこととなる。静電気が貫通孔８の内面９に飛び込めばこの内面９は誤動作や破壊などが生じない安全な回路（図示されていない）に接続されているため、安全に静電気を逃がすことができることとなる。
【００１３】
以上のように本実施形態によれば、機器の使用者が帯電していた際に、操作部を触ることにより静電気が使用者の体から操作部を経由して機器内部の回路に飛び込んでも、機器の誤動作や破壊を防止できることとなる。
【００１４】
（実施の形態２）
図４は本発明の第２の実施例におけるスイッチ操作部を示している。本発明の実施例が実施の形態１と異なる点は、図１と図４とを比較すれば明らかなように、本実施例では操作部文字があるため、操作ノブの方向性が１方向に決定されている。したがって、前記操作ノブ１に設けた本実施例では１個（もしくは複数個）の、アースピン４を、スイッチ嵌合部３の形状に対し非対称配置としているため、操作ノブ１の組付け方向を間違えた際には組付けられないこととなる。組付け方向を間違えて操作ノブ１を組付けると、操作部に表示された文字が使用者に対し判読しにくい方向となる場合に非常に有効である。なお、第２の実施例では操作部に操作文字が表示されたものであるが、図５に示すようなノブの操作面の形状等が非対称のために、操作ノブの取り付け方向性が規定される場合でも非常に有効である。
【００１５】
以上のように本実施形態によれば、実施の形態１と同様に、機器の誤動作や破壊を防止できると共に、操作ノブ１の組付け方向を１方向に限定したために、誤った組付け方向に組付けられることを防止することもできる。
【００１６】
以上のように実施の形態１及び２では、貫通孔に操作部品に設けかつ操作面と電気的導通性を保った１個のピンもしくはリブなどの突起を係合させた場合を説明したが、複数個のピンもしくはリブなどの突起を係合させても良い。この場合は、１個の場合より静電気を逃がすためのポイントが多くなり、スイッチの取り付けや操作ノブのばらつきによる静電気の危険回路への侵入防止をより確実にすることができることとなる。
【００１７】
【発明の効果】
以上のように本発明によれば、機器の使用者が帯電していた際に、操作部を触ることにより静電気が使用者の体から操作部を経由して機器内部の回路に飛び込んでも、機器の誤動作や破壊を防止できるという有利な効果が得られる。また、製造工程やサービス修理時の操作ノブの組付け間違いを防止できるという有利な効果も得られる。
【図面の簡単な説明】
【図１】本発明の一実施の形態におけるスイッチ操作部の構成図
【図２】本発明の一実施の形態１におけるスイッチ操作部のスイッチ操作状態図
【図３】本発明の一実施の形態１におけるスイッチ操作部の図２とは９０°違う方向へのスイッチ操作状態図
【図４】本発明の一実施の形態２におけるスイッチ操作部の構成図
【図５】本発明の一実施の形態２におけるスイッチ操作部の第２の例を示す図
【図６】従来のスイッチ操作部とその周辺部品との構成図
【図７】従来のスイッチ操作部におけるスイッチ操作状態図
【符号の説明】
１　操作ノブ
２　操作ノブ１の操作面
３　操作ノブ１のスイッチ嵌合部
４　操作ノブ１に設けられたアースピン
５　スイッチ
６　スイッチ本体
７　プリント配線基板
８　プリント配線基板７に設けられた貫通孔
９　貫通孔８の内面の電気的導通部分
１０　底面筐体
１１　本体筐体
１２　本体筐体１１を覆うカバー筐体
【図１】
2004139919.tif 000003
【図２】
2004139919.tif 000004
【図３】
2004139919.tif 000005
【図４】
2004139919.tif 000006
【図５】
2004139919.tif 000007
【図６】
2004139919.tif 000008
【図７】
2004139919.tif 000009